(57)【要約】【課題】商品収納部26に対して、縦向き姿勢の商品Ａを取り込むのを防止し、横向き姿勢の商品Ａのみを取り込める自動販売機の商品収納装置を提供する。【解決手段】商品ガイド36と、商品ガイド36の上側規制部38に臨む投入方向の手前側に配置する補助ガイド42とをそれぞれ独立して投入方向に揺動可能に設ける。縦向き姿勢の商品Ａの後部側で補助ガイド42を介して商品ガイド36の上側規制部38を押し上げ、商品ガイド36の下側規制部39が投入ガイド31の端部31aに接近する。縦向き姿勢の商品Ａを、補助ガイド42と商品ガイド36の下側規制部39と投入ガイド31の端部31aとの間で保持し、商品収納部26に取り込むのを規制する。投入ガイド31で導く横向き姿勢の商品Ａが連続しても、各商品Ａが商品ガイド36と補助ガイド42とに個別に接触し、商品ガイド36と補助ガイド42とが連動せず、各商品Ａを商品収納部26に取り込める。【選択図】図１
2007249321.tif 000002
【特許請求の範囲】
【請求項１】
投入方向に対して長手方向が横向き姿勢となる商品を上部から受け入れて収納する商品収納部と、
この商品収納部の上部に向けて下降傾斜され、投入される商品を商品収納部の上部に導く投入ガイドと、
前記商品収納部の上方に中間部を支点として投入方向に揺動可能に支持され、中間部より一端側に前記投入ガイドの上方に対向する上側規制部が設けられるとともに他端側に前記投入ガイドの投入方向の端部に対向する下側規制部が設けられ、前記投入ガイドによって導かれる商品を横向き姿勢として前記商品収納部に取り込む商品ガイドと、
この商品ガイドの上側規制部に臨む投入方向の手前側で投入方向に揺動可能に支持され、前記投入ガイド上の商品との当接によって前記商品ガイドの上側規制部の下側に当接する補助ガイドと
を具備していることを特徴とする自動販売機の商品収納装置。
【請求項２】
補助ガイドの表面に段差が形成されている
ことを特徴とする請求項１記載の自動販売機の商品収納装置。
【請求項３】
投入方向に対して長手方向が横向き姿勢となる商品を上部から受け入れて収納する商品収納部と、
この商品収納部の上部に向けて下降傾斜され、投入される商品を商品収納部の上部に導く投入ガイドと、
前記商品収納部の上方に位置し、前記投入ガイドによって導かれる商品を横向き姿勢として前記商品収納部に取り込む商品ガイドと、
前記商品収納部の手前側で前記投入ガイドより上方に突出する規制位置と商品の通過を許容する退避位置との間で移動可能とするとともに規制位置へ向けて付勢され、前記投入ガイドで導かれる横向き姿勢の商品の周面によって規制位置から退避位置に押し下げられるストッパと
を具備していることを特徴とする自動販売機の商品収納装置。
【請求項４】
ストッパは、投入ガイドの上面に平行でかつ投入方向に対して交差する方向に沿って設けられている
ことを特徴とする請求項３記載の自動販売機の商品収納装置。
【発明の詳細な説明】
【技術分野】
【０００１】
本発明は、投入方向に対して長手方向が横向き姿勢となる商品を商品収納部に収納する自動販売機の商品収納装置に関する。
【背景技術】
【０００２】
従来、例えば缶入り飲料、ペットボトル入り飲料あるいはビン入り飲料などの商品を収納して販売する自動販売機の商品収納装置では、商品収納部の上部から長手方向を横向き姿勢として投入される商品を商品収納部内に上下方向に積み重ねて収納し、商品販売時には商品収納部の下部に設置されている商品排出機構によって最下位の商品から１つずつ順に排出している。
【０００３】
商品収納部は、販売機本体の左右幅方向に複数並設されているとともに前後方向にも並設されており、後側の商品収納部に対しては販売機本体の前面から投入ガイドを通じて商品を投入している。図８に示すように、投入ガイド１は、販売機本体の前面に臨む投入口から商品収納部２の上部に向けた投入方向に下降傾斜していて、投入方向に対して長手方向を横向きとして投入口から投入された商品３を支えながら商品収納部２の上部に導いていている。
【０００４】
商品収納部２の上方には、投入ガイド１によって導かれてくる商品３が接触してこの商品３を横向き姿勢として商品収納部２内に取り込むための商品ガイド４が配置されている。この商品ガイド４は、中間部が支軸５によって投入方向に揺動可能に支持され、中間部より一端側に投入ガイド１の上方に対向する上側規制部６が設けられるとともに他端側に投入ガイド１の投入方向の端部に対向する下側規制部７が設けられている（例えば、特許文献１参照）。
【０００５】
ところで、長手方向を横向きとした商品３を投入口から投入ガイド１上に投入することにより、その商品３は投入ガイド１の傾斜によって投入方向に転動または摺動しながら商品収納部２の上部に導かれるが、投入されたときの商品３の姿勢や商品３に加わっている力の方向などの投入要因によって商品３の姿勢にさまざまな挙動が発生し、例えば投入ガイド１の上面に平行な回転方向の力が商品３に作用していた場合には、商品３が投入ガイド１の上面に平行な方向で回転し、商品３が商品収納部２の上部に到達するまでに、商品３の長手方向が投入方向と平行となるような縦向き姿勢に回転してしまうことがある。
【０００６】
このような場合、縦向き姿勢の商品３が商品収納部２の上部に達して落下しようとしても、商品３の後部側面で商品ガイド４の上側規制部６を押し上げることにより、商品ガイド４の下側規制部７が投入ガイド１の端部に接近するように回動することにより、商品３を商品ガイド４の上側規制部６と下側規制部７と投入ガイド１の端部との間で保持する。そのため、縦向き姿勢の商品３が商品収納部２に落下して商品詰まりが発生するのを防止できる。保持された商品３は、投入口から手を差し込んで取り出したり向きを修正する。
【特許文献１】特許第３５２６９０１号公報（第２−３頁、図１−２）
【発明の開示】
【発明が解決しようとする課題】
【０００７】
しかしながら、投入口に商品を投入する際の力が強かった場合などには、縦向き姿勢の商品３を商品ガイド４で保持することができず、そのまま商品収納部２に落下して商品詰まりを生じるおそれがある。
【０００８】
そこで、図９に示すように、商品ガイド４の上側規制部６を従来より長くすることにより、縦向き姿勢の商品３の後部側で商品ガイド４の上側規制部６を押し上げる幅を大きくし、商品ガイド４の下側規制部７が投入ガイド１の端部に対してより接近させるようにすれば、縦向き姿勢の商品３を確実に保持できるようになることが考えられる。しかし、投入ガイド１によって商品３が横向き姿勢で正常に導かれる場合でも、商品３が連続的に投入されていると、先に投入されている商品3aが投入ガイド１上から商品収納部２に落下しようとするときに、後続の商品3bで商品ガイド４の上側規制部６を押し上げてしまうため、商品ガイド４の下側規制部７と投入ガイド1の端部との間で先の商品3aを保持してしまって商品収納部２に取り込めなくなるおそれがある。
【０００９】
本発明は、このような点に鑑みなされたもので、商品収納部に対して、縦向き姿勢の商品が取り込まれるのを確実に防止し、横向き姿勢の商品のみを確実に取り込むことができる自動販売機の商品収納装置を提供することを目的とする。
【課題を解決するための手段】
【００１０】
請求項１記載の自動販売機の商品収納装置は、投入方向に対して長手方向が横向き姿勢となる商品を上部から受け入れて収納する商品収納部と、この商品収納部の上部に向けて下降傾斜され、投入される商品を商品収納部の上部に導く投入ガイドと、前記商品収納部の上方に中間部を支点として投入方向に揺動可能に支持され、中間部より一端側に前記投入ガイドの上方に対向する上側規制部が設けられるとともに他端側に前記投入ガイドの投入方向の端部に対向する下側規制部が設けられ、前記投入ガイドによって導かれる商品を横向き姿勢として前記商品収納部に取り込む商品ガイドと、この商品ガイドの上側規制部に臨む投入方向の手前側で投入方向に揺動可能に支持され、前記投入ガイド上の商品との当接によって前記商品ガイドの上側規制部の下側に当接する補助ガイドとを具備しているものである。
【００１１】
請求項２記載の自動販売機の商品収納装置は、請求項１記載の自動販売機の商品収納装置において、補助ガイドの表面に段差が形成されているものである。
【００１２】
請求項３記載の自動販売機の商品収納装置は、投入方向に対して長手方向が横向き姿勢となる商品を上部から受け入れて収納する商品収納部と、この商品収納部の上部に向けて下降傾斜され、投入される商品を商品収納部の上部に導く投入ガイドと、前記商品収納部の上方に位置し、前記投入ガイドによって導かれる商品を横向き姿勢として前記商品収納部に取り込む商品ガイドと、前記商品収納部の手前側で前記投入ガイドより上方に突出する規制位置と商品の通過を許容する退避位置との間で移動可能とするとともに規制位置へ向けて付勢され、前記投入ガイドで導かれる横向き姿勢の商品の周面によって規制位置から退避位置に押し下げられるストッパとを具備しているものである。
【００１３】
請求項４記載の自動販売機の商品収納装置は、請求項３記載の自動販売機の商品収納装置において、ストッパは、投入ガイドの上面に平行でかつ投入方向に対して交差する方向に沿って設けられているものである。
【発明の効果】
【００１４】
請求項１記載の自動販売機の商品収納装置によれば、商品ガイドと、この商品ガイドの上側規制部に臨む投入方向の手前側に配置される補助ガイドとをそれぞれ独立して投入方向に揺動可能としているため、投入ガイドで導かれる商品が縦向き姿勢となってもその商品の後部側で補助ガイドを介して商品ガイドの上側規制部を大きく押し上げ、商品ガイドの下側規制部が投入ガイドの端部に対してより接近することにより、縦向き姿勢の商品を補助ガイドと商品ガイドの下側規制部と投入ガイドの端部との間で確実に保持して商品収納部に取り込まれるのを規制でき、また、投入ガイドで導かれる横向き姿勢の商品が連続していても、各商品が独立して揺動する商品ガイドと補助ガイドとに個別に接触するため、それら商品を保持するおそれがなく、商品を商品収納部に確実に取り込むことができる。したがって、商品収納部に対して、縦向き姿勢の商品が取り込まれるのを確実に防止し、横向き姿勢の商品のみを確実に取り込むことができ、しかも、商品が補助ガイドに当接することで商品を横向き姿勢に修正することができる。
【００１５】
請求項２記載の自動販売機の商品収納装置によれば、請求項１記載の自動販売機の商品収納装置の効果に加えて、補助ガイドの表面に段差を形成しているため、投入ガイドで導かれて縦向き姿勢となった商品の後部側が補助ガイドの段差に係合し、その商品を確実に保持できる。
【００１６】
請求項３記載の自動販売機の商品収納装置によれば、投入ガイドで導かれる商品が縦向き姿勢となってもその商品が投入ガイドより上方の規制位置に突出するストッパに当接することにより、縦向き姿勢の商品が商品収納部に取り込まれるのを確実に規制でき、また、投入ガイドで導かれる横向き姿勢の商品の周面によってストッパが付勢に抗して規制位置から退避位置に押し下げられることにより、商品を商品収納部に確実に取り込むことができる。したがって、商品収納部に対して、縦向き姿勢の商品が取り込まれるのを確実に防止し、横向き姿勢の商品のみを確実に取り込むことができる。
【００１７】
請求項４記載の自動販売機の商品収納装置によれば、請求項３記載の自動販売機の商品収納装置の効果に加えて、ストッパが投入ガイドの上面に平行でかつ投入方向に対して交差する方向に沿って設けられているため、商品がストッパに当接することで商品を横向き姿勢に修正することができる。
【発明を実施するための最良の形態】
【００１８】
以下、本発明の一実施の形態を図面を参照して説明する。
【００１９】
図１ないし図３に第１の実施の形態を示す。
【００２０】
図３に示すように、例えば缶入り飲料、ペットボルト飲料あるいはビン入り飲料などの周面が円形の商品Ａ（図１および図２参照）を販売する自動販売機11は、機体12として前面を開口した販売機本体13およびこの販売機本体13の前面に開閉可能に設けられた扉体14を備え、さらに、販売機本体13と扉体14との間に配置されて販売機本体13の前面を断熱する断熱材が組み込まれた内扉15およびローディング扉16などを備えている。
【００２１】
扉体14の上部側には商品見本展示部や操作部などが配設され、扉体14の下部側には商品Ａを取り出す取出口17が配設されている。
【００２２】
販売機本体13は、前面を開口する箱形で、各壁面に断熱材が組み込まれており、内部には複数の仕切断熱パネル18によって複数の収納庫19が仕切られて形成され、各収納庫19には複数の商品Ａを収納する商品収納装置のコラム20が前後方向に複数列配設されているとともに左右の収納庫19には販売機本体13の左右幅方向にも複数列配設されている。コラム20の上部には各コラム20に商品Ａを投入する各コラム20毎の投入口21が形成され、各コラム20の下部にはコラム20内の商品Ａを支えるとともに商品Ａを１つずつ下方へ排出する商品排出機構22が配設されている。各収納庫19の下部には各コラム20から排出された商品Ａを前方の取出口17へ案内するシュート23が配設されている。なお、内扉15にはシュート23で案内される商品Ａを扉体14の取出口17に送り出す図示しない挿通口が形成されている。
【００２３】
また、図１および図２に示すように、各コラム20は、商品Ａを収納する商品収納部26を有し、自動販売機11の前後方向に対応した商品収納部26の前後がコラムレール体27a，27bによって構成され、自動販売機11の左右方向に対応した商品収納部26の左右が図示しない側板によって構成されている。各コラム20には、例えば缶入り飲料などの円筒状の商品Ａが、その周面を前後のコラムレール体27a，27bに対向させるとともにその長手方向の端面を両側の側板に対向させた横向き姿勢であって、投入口21から投入される投入方向に対して長手方向が横向きとなる横向き姿勢で収納される。
【００２４】
前後のコラムレール体27a，27bは、商品収納部26に臨んで凹曲面に形成された複数のコラムレール28を有し、これらコラムレール28が商品収納部26の前後で上下方向に略半ピッチずつずらして連続的に配置され、商品Ａを蛇行した状態に収納する商品収納部26を形成している。
【００２５】
また、商品収納部26の上部と販売機本体13の前面に開口する投入口21との間に、投入口21から投入された商品Ａを商品収納部26の上部に導くトッププレートである投入ガイド31が配設されている。この投入ガイド31は、商品Ａを載せる投入ガイド板32、およびこの投入ガイド板32の幅方向両側に配置された側面ガイド板33を備えている。投入ガイド31の投入ガイド板32は、平板状に形成され、投入口21から商品収納部26の上部へ向けて下降傾斜するように配置されている。
【００２６】
また、商品収納部26の上方には、投入ガイド31によって導かれる商品Ａを横向き姿勢として商品収納部26に取り込む商品ガイド（整流レール）36が配置されている。この商品ガイド36は、投入ガイド31および商品収納部26の幅に対応した幅で、あるいは商品の幅に対応して両側の側板間の間隔を調整可能とする場合に両側の側板の最小間隔に対応した幅で、投入ガイド31上から商品収納部26へ向けた通路に沿って断面略Ｃ字形に形成され、中間部が支軸37によって投入方向に対応して所定の範囲内で揺動可能に支持されている。商品ガイド36の中間部より一端側であって投入方向の上流側には投入ガイド31の上方に対向する上側規制部38が設けられ、他端側であって投入方向の下流側には投入ガイド31の投入方向の端部31aに対向する下側規制部39が設けられている。商品ガイド36は、上側規制部38と下側規制部39との質量バランスで上側規制部38が下降し、投入ガイド31によって商品収納部26に導かれる商品Ａが上側規制部38に必ず当接するように構成されている。
【００２７】
また、商品ガイド36の上側規制部38に臨む投入方向の手前側で投入ガイド31の上方には、フラッパである補助ガイド42が配置されている。この補助ガイド42は、商品ガイド36の幅に対応した幅に形成され、商品ガイド36の上側規制部38よりも高い位置に配置される支軸43によって投入方向に揺動可能に支持されている。補助ガイド42は、投入ガイド31上の商品Ａが当接して通過する際に商品ガイド36の上側規制部38の下側に当接するように構成されている。補助ガイド42の表面には、下側より上側が投入方向に窪む複数の段差44が形成されている。
【００２８】
次に、自動販売機11の作用を説明する。
【００２９】
商品Ａの充填作業時には、投入口21に商品Ａを横向きで投入する。投入口21に投入された商品Ａは投入ガイド31上を転動して投入ガイド31の端部31aから商品収納部26に落下する。商品収納部26に落下する商品Ａは、商品収納部26内を蛇行しながら落下して商品排出機構22により支持され、商品収納部26内に収納される。
【００３０】
そして、投入ガイド31によって商品収納部26に導かれる商品Ａは、まず、補助ガイド42に当接し、この補助ガイド42を投入方向に揺動させ、続いて、商品ガイド36の上側規制部38に当接してその上側規制部38を押し上げて下側規制部39が投入ガイド31の端部31aに接近する方向に商品ガイド36を揺動させた後、下側規制部39に当接してその下側規制部39が投入ガイド31の端部31aから離反する方向に商品ガイド36を揺動させ、商品収納部26内に落下する。
【００３１】
また、図１に示すように、投入された商品Ａが投入方向に対して縦向き姿勢になった場合、縦向き姿勢の商品Ａの投入方向の先端側で補助ガイド42を投入方向に揺動させるとともに、この補助ガイド42を介して商品ガイド36の上側規制部38を押し上げて下側規制部39が投入ガイド31の端部31aに接近する方向に商品ガイド36を揺動させる。この商品Ａの先端側が商品ガイド36の下側規制部39に当接し、商品Ａの周面が接触する投入ガイド31の端部31aを支点として商品Ａの先端側が下方へ向くように方向転換しようとする。方向転換する商品Ａの後端側が補助ガイド42に当接し、この補助ガイド42を介して商品ガイド36の上側規制部38を押し上げて下側規制部39が投入ガイド31の端部31aに接近する方向に商品ガイド36が連動して揺動し、商品Ａの通過を阻止する。そのため、縦向き姿勢の商品Ａを、補助ガイド42と商品ガイド36の下側規制部39と投入ガイド31の端部31aとの３点で保持する。
【００３２】
特に、補助ガイド42の表面に段差44を形成しているため、縦向き姿勢の商品Ａの後端側が補助ガイド42の段差44に係合し、その商品Ａを確実に保持できる。
【００３３】
そして、縦向き姿勢の商品Ａが商品収納部26の上部で保持された場合には、投入口21から手を差し込んで取り出したり向きを修正する。
【００３４】
また、図２に示すように、投入ガイド31によって商品Ａが横向き姿勢で正常に導かれる場合で、かつ商品Ａが連続的に投入された場合でも、先に投入されている商品A1は補助ガイド42に当接した後に投入ガイド31上から商品収納部26に落下しようとするときには補助ガイド42から外れるため、補助ガイド42と商品ガイド36との連動が解除され、商品ガイド36が独立して揺動する。後続の商品A2が補助ガイド42に当接し、この補助ガイド42を介して商品ガイド36の上側規制部38を押し上げて下側規制部39が投入ガイド31の端部31aに接近する方向に商品ガイド36が連動して揺動するときには、先の商品A1は、商品ガイド36の下側規制部39と投入ガイド31の端部31aとの間から外れており、商品収納部26に確実に落下する。
【００３５】
このように、商品ガイド36と、この商品ガイド36の上側規制部38に臨む投入方向の手前側に配置される補助ガイド42とをそれぞれ独立して投入方向に揺動可能としているため、投入ガイド31で導かれる商品Ａが縦向き姿勢となってもその商品Ａの後部側で補助ガイド42を介して商品ガイド36の上側規制部38を大きく押し上げ、商品ガイド36の下側規制部39が投入ガイド31の端部31aに対してより接近することにより、縦向き姿勢の商品Ａを補助ガイド42と商品ガイド36の下側規制部39と投入ガイド31の端部31aとの間で確実に保持して商品収納部26に取り込まれるのを規制でき、また、投入ガイド31で導かれる横向き姿勢の商品Ａが連続していても、各商品Ａが独立して揺動する商品ガイド36と補助ガイド42とに個別に接触するため、それら商品Ａを保持するおそれがなく、商品Ａを商品収納部26に確実に取り込むことができる。したがって、商品収納部26に対して、縦向き姿勢の商品Ａが取り込まれるのを確実に防止し、横向き姿勢の商品Ａのみを確実に取り込むことができ、しかも、商品Ａが補助ガイド42に当接することで商品Ａを横向き姿勢に修正することができる。
【００３６】
次に、図４ないし図７に第２の実施の形態を示す。
【００３７】
商品収納部26の手前側で投入ガイド31の端部31aに臨む位置に、ストッパ51が配置されている。このストッパ51は、例えばシャフトによって構成され、投入ガイド31の上面に平行でかつ投入方向に対して交差する幅方向に沿って配置され、コラム20の両側板52に形成された上下方向であって投入ガイド31の上面に垂直な方向に沿って長く形成された長孔であるガイド孔53に上下方向に移動可能に係合されて配置され、図示しない板ばねやコイルスプリングなどの付勢手段によって上方へ向けて付勢されている。ストッパ51の位置は、投入ガイド31の端部31aより上方に突出する位置を規制位置とし、投入ガイド31の端部31aより下方に退避する位置を退避位置としている。
【００３８】
そして、図５に示すように、投入ガイド31によって正常に導かれる横向き姿勢の商品Ａは、商品Ａの円形周面がストッパ51に当接し、その商品Ａの円形周面でストッパ51を規制位置から退避位置に付勢に抗して押し下げ、ストッパ51上を通過して商品収納部26に落下する。
【００３９】
また、図４に示すように、投入された商品Ａが投入方向に対して縦向き姿勢になった場合、縦向き姿勢の商品Ａの投入方向の先端面が規制位置に上昇しているストッパ51の側面に当接し、このストッパ51は、退避位置に下降せず、投入ガイド31上で商品Ａを保持する。
【００４０】
このストッパ51によって保持する縦向き姿勢の商品Ａの位置は商品収納部26の上部より手前側であり、図６に２点鎖線で示すように、仮に、ストッパ51を用いずに商品ガイド36によって縦向き姿勢の商品Ａを保持した場合において、縦向き姿勢の商品Ａの位置は商品収納部26の上部である。そのため、ストッパ51によって保持する縦向き姿勢の商品Ａは、商品ガイド36によって保持する縦向き姿勢の商品Ａよりも距離Ｌ分だけ投入口21に近い位置に位置し、投入口21から手を差し込んでの商品Ａの取り出しや向きの修正などの操作をしやすくできる。
【００４１】
また、図７に示すように、商品Ａが角形のペットボトルであった場合、この角形のペットボトルでも角部分は傾斜面や曲面などの非平面であるため、それら傾斜面や曲面などの非平面部分と当接可能とする位置をストッパ51の規制位置に設定することにより、角形のペットボトルにも対応できる。
【００４２】
このように、投入ガイド31で導かれる商品Ａが縦向き姿勢となってもその商品Ａが投入ガイド31より上方の規制位置に突出するストッパ51に当接することにより、縦向き姿勢の商品Ａが商品収納部26に取り込まれるのを確実に規制でき、また、投入ガイド31で導かれる横向き姿勢の商品Ａの周面によってストッパ51が付勢に抗して規制位置から退避位置に押し下げられることにより、商品Ａを商品収納部26に確実に取り込むことができる。したがって、商品収納部26に対して、縦向き姿勢の商品Ａが取り込まれるのを確実に防止し、横向き姿勢の商品Ａのみを確実に取り込むことができる。
【００４３】
ストッパ51が投入ガイド31の上面に平行でかつ投入方向に対して交差する方向に沿って設けられているため、商品Ａがストッパ51に当接することで商品Ａを横向き姿勢に修正することができる。
【００４４】
なお、ストッパ51は、シャフトに限らず、ワイヤ、板部材などを用いてもよい。
【図面の簡単な説明】
【００４５】
【図１】本発明の第１の実施の形態を示す自動販売機の商品収納装置における縦向き姿勢の商品を停止させた状態の断面図である。
【図２】同上商品収納装置における横向き姿勢の商品が通過する状態を示す断面図である。
【図３】同上自動販売機の斜視図である。
【図４】本発明の第２の実施の形態を示す自動販売機の商品収納装置における縦向き姿勢の商品を停止させた状態の断面図である。
【図５】同上商品収納装置における横向き姿勢の商品が通過する状態を(a)〜(c)に示す断面図である。
【図６】同上商品収納装置における縦向き姿勢の商品の停止位置を説明する断面図である。
【図７】同上商品収納装置における横向き姿勢の角形の商品の場合を示す断面図である。
【図８】従来の商品収納装置を示す断面図である。
【図９】比較例の商品収納装置を示す断面図である。
【符号の説明】
【００４６】
11    自動販売機
26    商品収納部
31    投入ガイド
36    商品ガイド
38    上側規制部
39    下側規制部
42    補助ガイド
44    段差
51    ストッパ
Ａ    商品
【図１】
2007249321.tif 000003
【図２】
2007249321.tif 000004
【図３】
2007249321.tif 000005
【図４】
2007249321.tif 000006
【図５】
2007249321.tif 000007
【図６】
2007249321.tif 000008
【図７】
2007249321.tif 000009
【図８】
2007249321.tif 000010
【図９】
2007249321.tif 000011